(57)【要約】【課題】利便性を向上できるオプション受けを提供する。【解決手段】身体支持装置１０のボトム１１にオプションを取り付けるオプション受け４１であって、オプションが固定される一対の第１部品７０と、一対の第１部品７０をボトム１１に固定する第２部品５０と、を備え、第１部品７０は、ボトム１１上に配置される板材７３と、板材７３から上方に延びるフレーム材７５と、を備え、第２部品５０は、ボトム１１の開口２６ｄの内周縁の一部であり互いに向かい合う第１領域１１ａおよび第２領域１１ｂそれぞれに接触する第１部材５１および第２部材５２を備え、第１部材５１は、第１部品７０をボトム１１に固定し、第２部材５２は、第１部材５１に連結され、第１部材５１に対して相対的に変位できる。【選択図】図５
2020081617.tif 000002
【特許請求の範囲】
【請求項１】
身体支持装置のボトムにオプションを取り付けるオプション受けであって、
前記オプションが固定される一対の第１部品と、
前記一対の第１部品を前記ボトムに固定する第２部品と、を備え、
前記第１部品は、
前記ボトム上に配置される板材と、
前記板材から上方に延びるフレーム材と、を備え、
前記第２部品は、前記ボトムの開口の内周縁の一部であり互いに向かい合う第１領域および第２領域それぞれに接触する第１部材および第２部材を備え、
前記第１部材は、前記第１部品を前記ボトムに固定し、
前記第２部材は、前記第１部材に連結され、前記第１部材に対して相対的に変位できるオプション受け。
【請求項２】
前記第１部材と前記第２部材とは、軸回りに相対的に回転する請求項１に記載のオプション受け。
【請求項３】
前記第１部材と前記第２部材とは、互いに離れる向きに付勢される請求項１に記載のオプション受け。
【請求項４】
前記第１部材は、
前記開口に配置され前記第１領域に接触する第１面と、
前記第１面から突出し、前記ボトムを挟んで互いに対向する第２面および第３面と、を備える請求項１から３のいずれか１項に記載のオプション受け。
【請求項５】
前記第２部品は、前記ボトム上に配置されるマットレスによって覆われる請求項１から４のいずれか１項に記載のオプション受け。
【請求項６】
前記一対の第１部品に、共通の前記オプションが固定される請求項１から５のいずれか１項に記載のオプション受け。
【請求項７】
開口が形成されたボトムと、
請求項１から６のいずれか１項に記載のオプション受けと、
前記オプション受けにより前記ボトムに取り付けられたオプションと、を備える身体支持装置。
【発明の詳細な説明】
【技術分野】
【０００１】
本発明は、オプション受けおよび身体支持装置に関する。
【背景技術】
【０００２】
オプション受けとして、例えば下記特許文献１が知られている。
【先行技術文献】
【特許文献】
【０００３】
【特許文献１】特開２０１３−２２３５４４号公報
【発明の概要】
【発明が解決しようとする課題】
【０００４】
本発明は、利便性を向上できるオプション受けを提供する。
【課題を解決するための手段】
【０００５】
本発明の一態様に係るオプション受けは、身体支持装置のボトムにオプションを取り付けるオプション受けである。前記オプション受けは、前記オプションが固定される一対の第１部品と、前記一対の第１部品を前記ボトムに固定する第２部品と、を備える。前記第１部品は、前記ボトム上に配置される板材と、前記板材から上方に延びるフレーム材と、を備える。前記第２部品は、前記ボトムの開口の内周縁の一部であり互いに向かい合う第１領域および第２領域それぞれに接触する第１部材および第２部材を備える。前記第１部材は、前記第１部品を前記ボトムに固定する。前記第２部材は、前記第１部材に連結され、前記第１部材に対して相対的に変位できる。
【発明の効果】
【０００６】
本発明によれば、利便性を向上できるオプション受けを提供できる。
【図面の簡単な説明】
【０００７】
【図１】本発明の第１実施形態に係る身体支持装置の斜視図である。
【図２】図１に示す身体支持装置におけるフットサポートの斜視図である。
【図３】図２に示すフットサポートにおけるオプションを回転させた状態を示す斜視図である。
【図４】図２に示すフットサポートにおけるオプション受けを示す斜視図である。
【図５】図４に示すオプション受けにおける第２部品を示す断面図である。
【図６】図５に示すオプション受けをボトムに取り付ける状態を説明する断面図である。
【図７】図６に示すオプション受けにおける第２部品の第１部材をボトムに取り付けた状態を説明する断面図である。
【図８】本発明の第２実施形態に係る身体支持装置を構成するフットサポートにおけるオプション受けを示す斜視図である。
【図９】図８に示すオプション受けにおける第２部品を示す断面図である。
【図１０】本発明の変形例に係る身体支持装置を構成するフットサポートにおけるオプション受けを示す斜視図である。
【発明を実施するための形態】
【０００８】
（第１実施形態）
本発明の第１実施形態に係る身体支持装置１０を、図１から図７に基づいて以下に説明する。
図１に示す本実施形態の身体支持装置１０は、例えば、介護用ベッド等として利用できるベッドであり、床面上に設置されている。なお、身体支持装置１０に関しては、例えば特願２０１６−００９８１６号（発明の名称：連結フレームおよびこれを備えるベッド装置、出願日：２０１６年１月２１日）の内容を援用する。この特許出願は、この援用によりその全体が組み込まれる。
【０００９】
図１を含む各図において、符号Ｘは身体支持装置１０の長手方向に沿った第１方向Ｘを示し、符号Ｙは身体支持装置１０の幅方向に沿った第２方向Ｙ（一方向）を示し、符号Ｚは身体支持装置１０の高さ方向（鉛直方向）に沿った第３方向Ｚを示す。
身体支持装置１０を第３方向Ｚに沿って平面視した場合に、身体支持装置１０は、第１方向Ｘよりも、第１方向Ｘに直交する第２方向Ｙに短い。第１方向Ｘは、身体支持装置１０上に横たわる被介護者の身長の方向となる。
【００１０】
図１に示すように、身体支持装置１０は、被介護者を支持するボトム１１と、ボトム１１を支持する架台１２と、架台１２の動きを制御する図示しない制御部と、ボトム１１に配置されるマットレス１３と、ボトム１１に固定されるフットレスト４０と、を備えている。身体支持装置１０は、電力を動力源として動作する電動ベッドである。なお本実施形態では、身体支持装置１０として電動ベッドを例に挙げているが、身体支持装置１０は電動ベッドに限られない。例えば、身体支持装置１０は、人力を動力源として動力する手動ベッドであってもよい。さらに例えば、身体支持装置１０は、後述する背上げ機能等がないフラットなベッド（いわゆる、のべベッド）でもよい。
【００１１】
＜ボトム１１＞
ボトム１１は、背ボトム（Back section）２１と、腰ボトム（Seat section）２２と、脚ボトム（Leg section）２３と、を備えている。これらの背ボトム２１、腰ボトム２２および脚ボトム２３は、第１方向Ｘに沿ってこの順に並んでいる。背ボトム２１は、被介護者の背を支える。腰ボトム２２は、被介護者の腰を支える。脚ボトム２３は、被介護者の脚を支える。
【００１２】
脚ボトム２３は、膝ボトム（Upper leg section）２４と、足ボトム（Lower leg section）２５と、を備えている。これらの膝ボトム２４および足ボトム２５は、第１方向Ｘに沿ってこの順に並んでいる。膝ボトム２４は、被介護者の膝から腰を支える。足ボトム２５は、被介護者の膝から足先を支える。
【００１３】
＜足ボトム２５＞
図４に示すように、足ボトム２５は、複数のパネル２６と、エッジ２７と、を備えている。
パネル２６は、第１方向Ｘよりも第２方向Ｙに長い。パネル２６は、第１方向Ｘに複数（図示の例では４つ）配置されている。図５に示すように、各パネル２６は、第２方向Ｙに延びる上面２６ａと、上面２６ａにおける第２方向Ｙの両端部から下方に延びる一対の側面２６ｂと、を備えている。各パネル２６における第１方向Ｘの中央部は、第１方向Ｘの端部に比べて、第３方向Ｚに窪んでいる。すなわち、各パネル２６の上面２６ａにおける第１方向Ｘの中央部には、第２方向Ｙに延びる窪み２６ｃが設けられている。
【００１４】
各パネル２６には、複数の通気口２６ｄ（開口）が更に設けられている。通気口２６ｄは、各パネル２６に第２方向Ｙに間隔をあけて複数（図示の例では６つ）配置されている。通気口２６ｄは、例えば、マットレス１３からボトム１１に伝達される被介護者の熱などを逃がす。通気口２６ｄは、各パネル２６の上面２６ａを第３方向Ｚに貫通する。
【００１５】
なお図示の例では、通気口２６ｄは、第２方向Ｙに長い長穴状に形成されているが、通気口２６ｄの形状はこれに限られない。例えば、通気口２６ｄが第１方向Ｘに長い長穴状に形成されていてもよい。複数の通気口２６ｄが、格子状に配置されていてもよい。
またパネル２６の形状も、上記形状に限られない。例えば、パネル２６が第２方向Ｙより第１方向Ｘに長くてもよい。更に足ボトム２５（ボトム１１）が、パネル２６に代えて、被介護者の身体を支持できる程度の強度を具備する網体（金網）を備えていてもよい。
【００１６】
エッジ２７は、複数のパネル２６を一体的に固定する。エッジ２７は、複数のパネル２６を第２方向Ｙに挟んで一対配置されている。一対のエッジ２７には、複数のパネル２６それぞれの第２方向Ｙの端部が嵌合されている。
【００１７】
＜架台１２＞
図１に示すように、架台１２は、床面に設置されるベースフレーム３１と、ボトム１１を支持する図示しないメインフレームと、ベースフレーム３１に対してメインフレームを昇降させる図示しない昇降機構と、背ボトム２１を移動させる図示しない背上げ機構と、脚ボトム２３を移動させる図示しない膝上げ機構と、メインフレームを第１方向Ｘに挟んで配置されたボード３４、３５と、を備えている。
【００１８】
昇降機構は、メインフレームを昇降させることで、例えば、ボトム１１を図１に示すような下側の位置と、図示しない上側の位置と、の間で連続的に昇降させる。
背上げ機構は、ＪＩＳ  Ｔ  ９２５４：２０１５に記載された背上げ機能を、身体支持装置１０に実装させている。
膝上げ機構は、ＪＩＳ  Ｔ  ９２５４：２０１５に記載された膝上げ機能を、身体支持装置１０に実装させている。
ボード３４、３５は、背ボトム２１に並んで配置されたヘッドボード３４と、脚ボトム２３に並んで配置されたフットボード３５と、を備えている。
【００１９】
＜フットレスト４０＞
フットレスト４０は、被介護者が尖足になることを防止する。なお、フットレスト４０に関しては、例えば特願２０１２−０９６１２３号（発明の名称：ベッド用フットレスト、出願日：２０１２年４月１９日）の内容を援用する。この特許出願は、この援用によりその全体が組み込まれる。フットレスト４０は、いわゆる尖足板である。
図１から図３に示すように、フットレスト４０は、ボトム１１に取り付けられるオプション受け４１と、オプション受け４１に取り付けられるパネル４２（オプション）と、パネル４２を覆うクッションパッド４３と、を備えている。
【００２０】
＜オプション受け４１＞
図２から図４に示すように、オプション受け４１は、パネル４２が装着される第１部品７０と、第１部品７０をボトム１１に固定する第２部品５０と、を備えている。第１部品７０は、第２方向Ｙに一対配置されている。一対の第１部品７０には、共通のパネル４２が取り付けられる。
【００２１】
＜第１部品７０＞
図２および図３に示すように、第１部品７０は、第２方向Ｙに一対配置されている。各第１部品７０は、第１部材７１と、第２部材７２と、を備えている。
第１部材７１は、ボトム１１上に配置される板材７３と、板材７３の上方に配置されるパイプ材７４と、板材７３とパイプ材７４とを連結するフレーム材７５と、を備えている。板材７３は、ボトム１１の上面に載置される。板材７３は、マットレス１３とボトム１１との間に配置される。板材７３およびパイプ材７４は、第１方向Ｘに延びる。板材７３は、平板状に形成されている。
【００２２】
図４に示すように、フレーム材７５は、板材７３から上方に延びる。フレーム材７５は、第１丸材７５ａと、第２丸材７５ｂと、を備えている。第１丸材７５ａおよび第２丸材７５ｂは、第１方向Ｘに間隔をあけて複数（図示の例では一対）配置されている。第１丸材７５ａは、板材７３の上面から第２方向Ｙに延びた後、上方に向けて屈曲されている。一対の第１丸材７５ａの上端間には、パイプ材７４が架け渡されている。第２丸材７５ｂは、第１方向Ｘに延び、一対の第１丸材７５ａを連結している。
【００２３】
図３に示すように、第２部材７２は、パイプ材７４に取り付けられる。第２部材７２は、パイプ材７４に沿って第１方向Ｘに移動できる。第２部材７２は、パイプ材７４の任意の位置で固定される。第２部材７２は、パネル４２を支持する。第２部材７２が第１方向Ｘに移動することで、パネル４２も第１方向Ｘに移動する。
【００２４】
第２方向Ｙから第２部材７２を見た側面視において、第２部材７２は、パネル４２を、第３方向Ｚに対して傾斜した状態で指示する。第２部材７２は、パネル４２の傾斜角度を変更できる。第２部材７２は、パネル４２の傾斜角度を任意の角度位置に固定する。第２部材７２は、例えば図３に示すように、パネル４２を、傾斜角度が０度となる姿勢（第３方向Ｚに平行となる姿勢）に固定できる。なお第２部材７２は、パネル４２の第３方向Ｚの位置を任意の高さ位置に調節することもできる。
【００２５】
フットレスト４０では、パネル４２の角度や、パネル４２の第１方向Ｘの位置、パネル４２の第３方向Ｚの位置を調節することによって、被介護者がマットレス１３上（ボトム１１上）で移動することなく、パネル４２を被介護者の足裏に当てることができる。例えば、パネル４２の角度を所定時間毎に異なる角度に変更することによって、被介護者の足首の角度を所定時間毎に変化させることができる。これにより、被介護者の足首が一定の角度で固定されることがなく、被介護者が尖足になることを防ぐことができる。
【００２６】
＜第２部品５０＞
図４に示すように、第２部品５０は、一対の第１部品７０をボトム１１に固定し、身体支持装置１０用のパネル４２を身体支持装置１０に取り付ける。本実施形態では、１つの第２部品５０が一対の第１部品７０の両方をボトム１１に固定するのではなく、複数の第２部品５０が各第１部品７０を個別にボトム１１に固定する。第２部品５０は、各第１部品７０に対して第１方向Ｘに複数配置されている。第２部品５０は、マットレス１３によって覆われる。各第２部品５０は、ボトム１１に配置される第１部材５１と、第１部材５１に対して回転してボトム１１に接触する第２部材５２と、第１部材５１と第２部材５２とを連結する軸５３と、を備える。
【００２７】
図５に示すように、第１部材５１は、第１部品７０に固定される。第１部材５１は、板材７３のうちフレーム材７５を回避した部分をボトム１１との間で挟むことにより、第１部品７０をボトム１１に固定する。第１部材５１は、通気口２６ｄに配置される第１面５６と、第１面５６から第２方向Ｙに突出し、ボトム１１を挟んで互いに対向する第２面５４および第３面５５と、第１面５６に固定された第４面５７と、を備える。第１面５６、第２面５４、第３面５５は、いずれも板状に形成されている。第１面５６、第２面５４、第３面５５は、例えば、１枚の板をＵ字状に曲げることによって形成されている。
【００２８】
第２面５４は、第１部品７０の板材７３の上面に固定されている。第２面５４は、板材７３から第２方向Ｙに延びている。
第１面５６は、第２面５４から第３方向Ｚに沿って下方に延びている。第１面５６は、通気口２６ｄを通してボトム１１の上面２６ａの下方に進入している。第１面５６は、第２方向Ｙに並ぶ複数の通気口２６ｄのうち、最も端に位置する通気口２６ｄに配置される。
【００２９】
第３面５５は、第１面５６から第２方向Ｙに延びている。第２面５４および第３面５５の間には、ボトム１１の上面２６ａが配置されている。言い換えると、第２面５４と第３面５５とは、ボトム１１の上面２６ａを間に挟んで第３方向Ｚに対向している。
【００３０】
第４面５７は、第１面５６から第２方向Ｙに突出している。第４面５７は、第１面５６から、第２面５４や第３面５５の反対側に向けて突出している。第４面５７は、通気口２６ｄに配置されている。第４面５７は、第１方向Ｘに間隔をあけて一対配置されている。
【００３１】
第２部材５２は、チャンネル材（長手方向から見た正面視においてＵ字状をなす部材）によって形成されている。第２部材５２の第１端部５２ａは、第１部材５１の第４面５７における一対の板材間に配置されている。軸５３は、第１端部５２ａおよび第４面５７を第１方向Ｘに貫通する。第２部材５２は、軸５３回りに回転することで、第１部材５１に対して回転する。言い換えると、第１部材５１と第２部材５２とは、相対的に変位でき、具体的には、軸５３回りに相対的に回転する。
【００３２】
第２部材５２は、ボトム１１に接触した状態で、通気口２６ｄに配置される。このとき第２部材５２は、第２方向Ｙに延びていて、第２方向Ｙ（第２部材５２の長手方向）から見た正面視において、倒立Ｕ字状に形成されている。
第２部材５２の第２端部５２ｂには、切り欠き５２ｃが設けられている。切り欠き５２ｃは、第１部分５２ｄと、第２部分５２ｅと、を備えている。第２部材５２を第１方向Ｘから見た側面視において、第１部分５２ｄは、第２方向Ｙに直線状に延び、第２部分５２ｅは、第３方向Ｚに直線状に延びている。第２部分５２ｅは、第３方向Ｚに対して傾斜している。第２部材５２がボトム１１に接触した状態で、切り欠き５２ｃの第１部分５２ｄは、ボトム１１の上面２６ａにおける通気口２６ｄの開口周縁部上に配置される。通気口２６ｄには、第２部材５２のうち、切り欠き２６ｃの第１部分５２ｄより下方に位置する部分が配置されている。
【００３３】
ボトム１１に接触した状態の第２部材５２が上方に向けて回転すると、第２部材５２がボトム１１から離れる（図５における２点鎖線参照）。その後、第１部材５１を通気口２６ｄから引き上げると、第２部品５０（オプション受け４１）がボトム１１から離脱される。このように、第１部材５１に対して第２部材５２が回転することで、第２部品５０の第２方向Ｙの長さが調整され、ボトム１１に対して着脱される。
【００３４】
第２部品５０は、１つの通気口２６ｄの周縁の一部であり互いに第２方向Ｙに向かい合う第１領域１１ａおよび第２領域１１ｂの間に配置されると言える。第２部品５０の下部（図示の例では、第２部品５０のうち、切り欠き５２ｃの第１部分５２ｄよりも下方に位置する部分）は、前記１つの通気口２６ｄ内に配置されている。第２部品５０の下部は、通気口２６ｄと第１方向Ｘに同等の大きさであるか、わずかに小さい。第２部品５０の下部は、通気口２６ｄと第２方向Ｙに同等の大きさであるか、わずかに小さい。
【００３５】
本実施形態では、第１領域１１ａおよび第２領域１１ｂはそれぞれ、前記１つの通気口２６ｄの内周縁の一部である。第２部品５０の第２方向Ｙの両端部は、第１領域１１ａおよび第２領域１１ｂそれぞれに接触する。第２部品５０の第１部材５１は、ボトム１１の第１領域１１ａに接触する。このとき、第１部材５１（第１面５６）が、第１領域１１ａに面接触や線接触していなくてもよく、点接触していてもよい。第２部品５０の第２部材５２は、ボトム１１の第２領域１１ｂに接触する。このとき、第２部材５２（切り欠き５２ｃの第２部分５２ｅ）が、第２領域１１ｂに面接触や線接触していなくてもよく、点接触していてもよい。なお本実施形態のように、オプション受け４１が、大きい荷重（使用者の荷重）が受けるパネル４２を支持する場合、ボトム１１に対する第２部品５０の第２方向Ｙのがたつきを抑える観点からは、第２部品５０の第１部材５１および第２部材５２それぞれが、第１領域１１ａおよび第２領域１１ｂに面接触や線接触していることが好ましい。
【００３６】
上記フットレスト４０をボトム１１に取り付けるときには、オプション受け４１をボトム１１に取り付けた後、パネル４２およびクッションパッド４３をオプション受け４１に取り付ける。
上記オプション受け４１をボトム１１に取り付けるときには、一対の第１部品７０をそれぞれボトム１１に配置し、これらの第１部品７０を、第２部品５０によってボトム１１に固定する。このとき作業者は、マットレス１３をボトム１１から完全に取り外して作業しもよい。また作業者は、マットレス１３の端部をめくりあげ、第１部品７０および第２部品５０を、マットレス１３とボトム１１との間に差し込んで作業してもよい。
【００３７】
第２部品５０をボトム１１に配置するときには、まず図６に示すように、第１部材５１の第３面５５および第１面５６を、通気口２６ｄを通してボトム１１内に進入させる。また、第２部材５２は、上方に向けて回転させておく。そして図７に示すように、第１部材５１の第２面５４を、ボトム１１の上面２６ａ上に配置する。
【００３８】
その後、図５に示すように、第２部材５２を第１部材５１に対して回転させ、第２部材５２をボトム１１の上面２６ａに接触させる。このとき、第２部材５２の切り欠き５２ｃに、ボトム１１における通気口２６ｄの開口周縁部が進入し、前記開口周縁部が第２部材５２に接触する。
【００３９】
以上説明したように、本実施形態に係る第２部品５０は、図５に示すように、第１部材５１と第２部材５２とが相対的に変位できる。本実施形態では、第１部材５１と第２部材５２とが軸５３回りに相対的に回転する。第２部品５０をボトム１１に取り付けるときには、第１部材５１をボトム１１に配置した状態で、第２部材５２を第１部材５１に対して回転させ、第２部材５２をボトム１１に接触させる。これにより、第２部品５０の両端部（第１部材５１および第２部材５２）がボトム１１の第１領域１１ａおよび第２領域１１ｂに接触する。この状態で、例えば、第２部品５０（オプション受け４１）がボトム１１に対して第２方向Ｙに相対的に変位しようとすると、例えば、第２部品５０の下部が第１領域１１ａおよび第２領域１１ｂ（通気口２６ｄの内周縁）に突き当たること等により、この変位が抑制される。その結果、第２部品５０がボトム１１に対して位置決めされる。
【００４０】
この第２部品５０によれば、第２部品５０（オプション受け４１）のボトム１１に対する位置決めを、第２部材５２を回転させる（第１部材５１と第２部材５２とを相対的に変位させる）という簡便な作業により実現することができる。これにより、例えば、ボトム１１にマットレス１３が配置された状態であっても、ボトム１１に対してオプション受け４１を着脱させ易くすること等が可能になり、オプション受け４１の利便性を向上させることができる。
【００４１】
第１部材５１が、第２面５４および第３面５５を備えている。したがって、第２面５４および第３面５５がボトム１１を間に挟むように、第１部材５１をボトム１１に配置することで、第１部材５１をボトム１１に対して位置決めすることができる。
第１部材５１が、第１面５６を更に備えている。したがって、第２部品５０がボトム１１に対して相対的に変位しようとするときに、例えば、第１面５６が通気口２６ｄの内周面に突き当たること等により、この変位を抑制することができる。
以上より、第２部品５０をボトム１１に対してより高精度に位置決めすることができる。
【００４２】
第２部品５０が、マットレス１３によって覆われている。したがって、第２部品５０が通気口２６ｄから離脱するのをマットレス１３によって規制することができる。
【００４３】
（第２実施形態）
次に、本発明の第２実施形態に係る身体支持装置１０Ａを、図８および図９を参照して説明する。
なお、この第２実施形態においては、第１実施形態における構成要素と同一の部分については同一の符号を付し、その説明を省略し、異なる点についてのみ説明する。
【００４４】
本実施形態に係る身体支持装置１０Ａは、前記第１実施形態に係る第２部品５０に代えて、第２部品９０を備えている。第２部品９０は、前記第１実施形態に係る第２部品５０と同様に、パネル４２を身体支持装置１０Ａに取り付けるための部品である。第２部品９０は、ボトム１１との間に第１部品７０を挟む。第２部品９０は、一対の第１部品７０の間に１つ配置されている。
【００４５】
＜第２部品９０＞
図８および図９に示すように、第２部品９０は、第１部品７０がボトム１１から意図せずに外れることを規制する。第２部品９０は、第２方向Ｙに離れて配置された第１部材９１および第２部材９２と、第１部材９１および第２部材９２を連結する第３部材９３と、を備えている。
【００４６】
第１部材９１および第２部材９２は、第１部品７０をボトム１１に固定する。第１部材９１および第２部材９２は、互いに同等の形状である。図９に示すように、第１部材９１および第２部材９２はそれぞれ、通気口２６ｄに配置される第１面９６と、第１面９６から第２方向Ｙに突出し、ボトム１１を挟んで互いに対向する第２面９４および第３面９５と、を備える。第１面９６、第２面９４、第３面９５は、いずれも板状に形成されている。第１部材９１および第２部材９２は、１枚の板をＵ字状に曲げることによって形成されている。
【００４７】
第２面９４は、第１部品７０の板材７３の上面に配置されている。第２面９４は、板材７３の上面に固定はされておらず、板材７３から離れることができる。
第１面９６は、第２面９４から第３方向Ｚに沿って下方に延びている。第１面９６は、通気口２６ｄを通してボトム１１の上面２６ａの下方に進入している。第１面９６は、第２方向Ｙに並ぶ複数の通気口２６ｄのうち、最も端に位置する通気口２６ｄに配置される。
【００４８】
第３面９５は、第１面９６から第２方向Ｙに延びている。第２面９４および第３面９５の間には、板材７３およびボトム１１の上面２６ａが配置されている。言い換えると、第２面９４と第３面９５とは、板材７３およびボトム１１の上面２６ａを間に挟んで第３方向Ｚに対向している。
【００４９】
第３部材９３は、第１部材９１および第２部材９２を、第２方向Ｙの外側（互いに第２方向Ｙに沿って離れる向き）に向けて付勢する。第３部材９３は、第１部材９１および第２部材９２それぞれにおける第１面９６を、通気口２６ｄの内周面に突き当てている。第３部材９３は、第１パイプ材９７および第２パイプ材９８と、ピン９９と、ばね１００と、を備えている。
【００５０】
第１パイプ材９７は、第１部材９１および第２部材９２のうちのいずれか一方（図示の例では第１部材９１）に固定され、第２パイプ材９８は、第１部材９１および第２部材９２のうちのいずれか他方（図示の例では第２部材９２）に固定されている。第１パイプ材９７の第１端部９７ａは、第２パイプ材９８内に挿入されている。ピン９９は、第２パイプ材９８を貫通している。ばね１００は、第２パイプ材９８内に配置されている。ばね１００は、第１端部９７ａとピン９９との間に配置されている。ばね１００は、ピン９９から反力をとり第１パイプ材９７を第２方向Ｙに付勢する。
【００５１】
第２部品９０は、第１部材９１および第２部材９２を第２方向Ｙの両側から押し込むことで収縮する。このとき、第１パイプ材９７の第１端部９７ａについての第２パイプ材９８内への挿入量が、押し込み前に比べ大きくなり、第２部品９０が第２方向Ｙに収縮する。またこのとき、ばね１００が第１端部９７ａとピン９９との間で第２方向Ｙに圧縮される。前記押し込みを解除すると、ばね１００の復元力によって前記挿入量が小さくなり、第２部品９０の第２方向Ｙの長さが復元する。すなわち、第１部材９１および第２部材９２は、互いに離れる方向に付勢されている。この付勢力に抗する外力が調整されると、第２部品９０の第２方向Ｙの長さが調整される。
【００５２】
ここで本実施形態では、第１部品７０の板材７３の端部７３ａが折り返されている。端部７３ａは、直角に二度折り曲げられた鉤形状に形成されている。端部７３ａは、ボトム１１（足ボトム２５）に、ボトム１１に対する下方から引っ掛かる。端部７３ａがボトム１１に引っ掛かることで、第１部品７０がボトム１１から上方に離間することが抑制される。なお、端部７３ａは折り返されていなくてもよい。
【００５３】
オプション受け４１をボトム１１に取り付けるときには、作業者は、マットレス１３をボトム１１から取り外した状態で、一対の第１部品７０をそれぞれボトム１１に配置する。このとき、各第１部品７０における板材７３の端部７３ａをボトム１１に引っ掛ける。そして一対の第１部品７０を、第２部品９０によってボトム１１に固定する。このときまず、第２部品９０を第２方向Ｙに押し込んで収縮させた状態で、第２部品９０の第１部材９１および第２部材９２（第３面９５および第１面９６）それぞれを通気口２６ｄに進入させる。その後、前記押し込みを解除して第２部品９０を復元変形させると、第１部材９１および第２部材９２（第１面９６）が通気口２６ｄの内周面に突き当たり、第２部品９０がボトム１１に固定される。このとき、第１部材９１および第２部材９２はそれぞれ、第２方向Ｙに並ぶ複数の通気口２６ｄのうち、最も端に位置する通気口２６ｄの内周縁に接触している。言い換えると、第１部材９１および第２部材９２が、互いに異なる通気口２６ｄそれぞれの内周縁の一部（第１領域１１ａおよび第２領域１１ｂ）に接触している。
【００５４】
なお、本発明の技術的範囲は前記実施形態に限定されるものではなく、本発明の趣旨を逸脱しない範囲において種々の変更を加えることが可能である。
【００５５】
図１０に示す変形例に係る身体支持装置１０Ｂのように、オプション受け４１が、前記第１実施形態に係る第２部品５０および前記第２実施形態に係る第２部品９０の両方を備えていてもよい。この場合、第２部品９０が、第２部品５０に対して第１方向Ｘにずらされて配置される。またこの場合、板材７３が、前述の第２実施形態に係る身体支持装置１０Ｂとは異なり折り曲げられた端部７３ａを備えてはいない。仮に第２部品５０と、前述の折り曲げられた端部７３ａと、を兼ね備えていると、第１部品７０（板材７３）をボトム１１上に配置するときに、第２部品５０および端部７３ａの両方がボトム１１に突き当たるおそれがある。その結果、第１部品７０を所望する位置に配置しづらくなったり、配置できなくなったりする可能性がある。
【００５６】
本発明では、前記第１実施形態に係る第２部品５０のように、第１部材５１および第２部材５２が、共通する１つの通気口２６ｄの内周縁の一部に接触していてもよい。前記第２実施形態に係る第２部品９０のように、第１部材９１および第２部材９２が、互いに異なる通気口２６ｄそれぞれの内周縁の一部に接触していてもよい。
第２部品５０や第２部品９０が、通気口２６ｄとは異なる開口に配置されてもよい。
【００５７】
第２部品５０の第２部材５２がチャンネル材でなくてもよい。第２部材５２に切り欠き５２ｃが無くてもよい。
【００５８】
オプション受け４１は、フットレスト４０用に限られない。
例えば、オプション受け４１が、サイドサポートに用いられてもよい。前記サイドサポートは、ボトム１１の第２方向Ｙの端部に設けられる。前記サイドサポートは、クッション性を具備しており、ボトム１１からわずかに上方に突出する。前記サイドサポートは、ボトム１１上の被介護者が第２方向Ｙに寝返りをうって、被介護者が第２方向Ｙの端部に移動したときに被介護者に接触する。これにより、被介護者は、自身が第２方向Ｙの端部に到達したことを気付き、被介護者のボトム１１（マットレス１３）からの転落が抑制される。
【００５９】
オプション受け４１が、他のオプション（例えば、いわゆるサイドレールやＩＶポール）などに用いられてもよい。オプションとは、例えば、オプションが身体支持装置に装着されたとき、オプションそのものが身体支持装置に対する機能性の向上に寄与する部品や装置を言う。
オプション受け４１が、足ボトム２５とは異なるボトム１１（例えば、背ボトム２１や腰ボトム２２、膝ボトム２４）に取り付けられてもよい。
【００６０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６１】
１０   身体支持装置
１１   ボトム
１１ａ 第１領域
１１ｂ 第２領域
２６ｄ 通気口（開口）
４１   オプション受け
４２   パネル（オプション）
５０   第２部品
５１   第１部材
５２   第２部材
５４   第２面
５５   第３面
５６   第１面
７０   第１部品
９０   第２部品
９１   第１部材
９２   第２部材
Ｙ     第２方向（一方向）
【図１】
2020081617.tif 000003
【図２】
2020081617.tif 000004
【図３】
2020081617.tif 000005
【図４】
2020081617.tif 000006
【図５】
2020081617.tif 000007
【図６】
2020081617.tif 000008
【図７】
2020081617.tif 000009
【図８】
2020081617.tif 000010
【図９】
2020081617.tif 000011
【図１０】
2020081617.tif 000012